(57)【特許請求の範囲】
【請求項１】
遠隔操作により外部装置を動作させる通信装置であって、
前記外部装置と無線通信する通信手段と、
前記外部装置に実行させる動作の指示を受付ける指示受付手段と、
を備え、
前記通信手段は、
前記指示受付手段が前記指示を受付けると、前記外部装置との無線接続を確立して、前記指示に対応する動作命令を前記外部装置へ送信し、
前記外部装置において前記動作命令に対応する一連の動作の一部が実行されると、残りの動作の実行完了を待つことなく前記外部装置との前記無線接続を切断する
ことを特徴とする通信装置。
【請求項２】
前記外部装置に実行させる動作が、撮影動作である場合に、
前記通信手段は、前記外部装置において撮影が開始されるより前に、前記外部装置との前記無線接続を切断することを特徴とする、請求項１に記載の通信装置。
【請求項３】
前記通信手段は、前記外部装置において撮影のための所定の動作が行われると、前記外部装置との前記無線接続を切断することを特徴とする請求項２に記載の通信装置。
【請求項４】
前記通信装置のユーザに対する通知を行う通知手段を更に備え、
前記通知手段は、前記外部装置において撮影のための前記所定の動作が行われると、前記外部装置が前記撮影を開始する以前に前記ユーザに対する通知を行うことを特徴とする請求項３に記載の通信装置。
【請求項５】
前記通信手段は、前記外部装置において撮影のための所定の動作の実行に失敗すると、前記外部装置との前記無線接続を切断することを特徴とする請求項２に記載の通信装置。
【請求項６】
前記所定の動作は、前記外部装置における撮影のための準備動作であることを特徴とする請求項３から５のいずれか１項に記載の通信装置。
【請求項７】
前記撮影動作が動画の撮影動作の場合であって、前記通信手段が前記外部装置との前記無線接続を切断した後、前記指示受付手段が動画撮影終了の動作の指示を更に受付けた場合、
前記通信手段は、
前記動画撮影終了の動作の指示を受付けると、前記外部装置との無線接続を確立して、前記指示に対応する動作命令を前記外部装置へ送信し、
前記動作命令に応じて前記外部装置における動画撮影が終了すると、前記外部装置との前記無線接続を切断し、
前記通知手段は、前記外部装置における動画撮影の終了後に前記ユーザに対する通知を行うことを特徴とする請求項４に記載の通信装置。
【請求項８】
前記外部装置に実行させる動作が撮影動作であって、かつ、前記指示受付手段が、前記撮影動作の指示を継続して受け付けている場合、
前記通信手段は、前記外部装置において前記動作命令に対応する動作の少なくとも一部が実行された後も前記外部装置との前記無線接続を継続することを特徴とする請求項１に記載の通信装置。
【請求項９】
前記指示受付手段が前記撮影動作の指示を継続して受け付けた後に、該指示を受付けなくなった場合、
前記通信手段は、前記指示を受付けなくなった後に、前記外部装置との前記無線接続を切断することを特徴とする請求項８に記載の通信装置。
【請求項１０】
前記指示受付手段が前記撮影動作の指示を継続して受け付けた後に、該指示を受付けなくなった場合、
前記通信手段は、前記指示を受付けなくなったことに対応する前記外部装置による動作に応じて前記外部装置との前記無線接続を切断することを特徴とする請求項８に記載の通信装置。
【請求項１１】
前記通信装置のユーザに対する通知を行う通知手段を更に備え、
前記通知手段は、前記外部装置において撮影のための所定の動作が行われると、継続して受け付けた前記撮影動作の指示に応じて前記外部装置が行う撮影のうち、最初の撮影の開始前にのみ前記ユーザに対する通知を行うことを特徴とする請求項８から１０のいずれか１項に記載の通信装置。
【請求項１２】
前記外部装置に実行させる動作が、撮影条件を調整するための動作である場合に、
前記通信手段は、前記外部装置が次の動作の命令を受付け可能になる前に前記外部装置との前記無線接続を切断することを特徴とする請求項１から１１のいずれか１項に記載の通信装置。
【請求項１３】
前記撮影条件を調整するための動作は、ＡＦ動作、ＡＥ動作、絞り動作のうち少なくともいずれかを含むことを特徴とする請求項１２に記載の通信装置。
【請求項１４】
前記外部装置に実行させる動作が、撮影条件を調整するための動作である場合、
前記通信手段は、前記指示受付手段が撮影動作の指示を受付けるまで前記外部装置との前記無線接続を継続することを特徴とする請求項１から１１のいずれか１項に記載の通信装置。
【請求項１５】
前記通信手段は、前記外部装置から前記一連の動作の少なくとも一部の実行に関する通知を受信し、前記通知の受信に応じて前記無線接続を切断することを特徴とする請求項１から１４のいずれか１項に記載の通信装置。
【請求項１６】
前記通信手段は、前記一連の動作の少なくとも一部の実行に関する通知を受信した場合に該受信に対する応答を前記外部装置へ送信し、その後に前記無線接続を切断することを特徴とする請求項１５に記載の通信装置。
【請求項１７】
前記通信手段は、前記一連の動作の少なくとも一部の実行に関する通知を一定期間内に受信しない場合に前記無線接続を切断することを特徴とする請求項１５又は１６に記載の通信装置。
【請求項１８】
外部装置と無線通信する通信手段と、前記外部装置に実行させる動作の指示を受付ける指示受付手段とを備え、遠隔操作により外部装置を動作させる通信装置の制御方法であって、
前記通信手段が、
前記指示受付手段が前記指示を受付けると、前記外部装置との無線接続を確立する工程と、
前記指示に対応する動作命令を前記外部装置へ送信する工程と、
前記外部装置において前記動作命令に対応する一連の動作の一部が実行されると、残りの動作の実行完了を待つことなく前記外部装置との前記無線接続を切断する工程と
を含むことを特徴とする通信装置の制御方法。
【請求項１９】
コンピュータを請求項１乃至１７のいずれか１項に記載の通信装置の各手段として機能させるための、コンピュータが読み取り可能なプログラム。
【発明の詳細な説明】
【技術分野】
【０００１】
本発明は、通信装置、通信装置の制御方法、及び、プログラムに関する。
【背景技術】
【０００２】
端末の動作を遠隔で制御する、所謂リモコンと呼ばれる通信装置には、赤外線を用いたものがある。赤外線通信装置は、低コストであることがメリットであるが、片方向通信しかできない、指向性が高く通信する方向が限られる、通信距離が短いなどのデメリットもある。
【０００３】
このため近年では、Ｗｉ−Ｆｉ（登録商標）や、Ｚｉｇｂｅｅ（登録商標）、Ｂｌｕｅｔｏｏｔｈ（登録商標）といった、電波を使った無線方式の通信装置が普及し始めている。このような無線方式の通信装置では、赤外線では実現不可能だった、双方向通信や、無指向性といったメリットが得られる一方、赤外線に比べて消費電力が大きいため、電池の持ちが悪くなってしまう問題がある。
【０００４】
そこで、無線方式の通信機器においては、さまざまな方法で消費電力を抑えたり、電池状態をユーザへわかりやすく通知したりする方法が提案されてきている。特許文献１は、携帯端末において、画像通話の相手方に対して自局の電池容量レベルを常に送信画像に付加して送信することで、回線切断を未然に防止する方法を提案している。
【先行技術文献】
【特許文献】
【０００５】
【特許文献１】特開２００２−２８１１２８号公報
【発明の概要】
【発明が解決しようとする課題】
【０００６】
しかしながら、上述の提案方法では相手の状態は容易に把握でき、操作性は向上するものの、常に通信量の大きな画像通信を行うため、搭載する電池の容量が小さい通信装置の用途には適さない。
【０００７】
そこで本発明は、通信装置における操作性と省電力とを両立させるための技術を提供する。
【課題を解決するための手段】
【０００８】
上記課題を解決するための本発明は、遠隔操作により外部装置を動作させる通信装置であって、
前記外部装置と無線通信する通信手段と、
前記外部装置に実行させる動作の指示を受付ける指示受付手段と、
を備え、
前記通信手段は、
前記指示受付手段が前記指示を受付けると、前記外部装置との無線接続を確立して、前記指示に対応する動作命令を前記外部装置へ送信し、
前記外部装置において前記動作命令に対応する一連の動作の一部が実行されると、残りの動作の実行完了を待つことなく前記外部装置との前記無線接続を切断することを特徴とする。
【発明の効果】
【０００９】
本発明によれば、通信装置における操作性と省電力とを両立させることができる。
【図面の簡単な説明】
【００１０】
【図１】発明の実施形態に対応する撮像装置１００と通信装置２００との機能構成の一例を示すブロック図。
【図２】発明の実施形態に対応する撮像装置１００と通信装置２００との接続状態の一例を示す図。
【図３】発明の実施形態に対応する処理の一例を示すフローチャート。
【図４】発明の実施形態１に対応する動作シーケンス図。
【図５】発明の実施形態２に対応する処理の一例を示すフローチャート。
【図６】発明の実施形態２に対応する動作シーケンス図。
【図７】発明の実施形態３に対応する動作シーケンス図。
【図８】発明の実施形態４に対応する処理の一例を示すフローチャート。
【図９】発明の実施形態４に対応する動作シーケンス図。
【図１０】発明の実施形態５に対応する処理の一例を示すフローチャート。
【図１１】発明の実施形態５に対応する動作シーケンス図。
【発明を実施するための形態】
【００１１】
以下、本発明の実施形態を添付の図面に基づいて詳細に説明する。なお、以下に説明する実施の形態は、本発明の実現手段としての一例であり、本発明が適用される装置の構成や各種条件によって適宜修正又は変更されてもよい。また、各実施の形態を適宜組み合せることも可能である。
【００１２】
＜撮像装置１００の構成＞
図１に発明の実施形態に対応する撮像装置及び通信装置の機能構成の一例を示す。図１（ａ）は、本実施形態の撮像装置１００としてのデジタルカメラの構成例を示すブロック図である。
【００１３】
これ以降の実施形態の説明では撮像装置１００についてデジタルカメラを例に挙げて説明するが、撮像装置１００の実施形態はデジタルカメラに限定されるものではない。例えば撮像装置１００は、パーソナルコンピュータ、携帯電話、スマートフォン、ＰＤＡ、タブレットデバイス、デジタルビデオカメラ、携帯型メディアプレーヤなどの撮像機能や録音機能を有する任意の情報処理装置、撮像装置、情報生成装置、或いは、データ生成装置とすることができる。以下、図１（ａ）を参照して撮像装置１００の構成を具体的に説明する。
【００１４】
制御部１０１は、入力された信号や、後述のプログラムに従ってデジタルカメラ１００の各部を制御する。なお、制御部１０１が装置全体を制御する代わりに、複数のハードウェアが処理を分担することで、装置全体を制御してもよい。
【００１５】
撮像レンズ１０２は、レンズマイコン１０２ａ、ズーム１０２ｂ、絞り１０２ｃ、フォーカス１０２ｄを含むように、光学レンズユニットと絞り・ズーム・フォーカスなど制御する光学系として構成される。撮像センサ１０３は、光学レンズユニットを経て導入された光（映像）を電気的な映像信号に変換するための撮像素子などで構成される。撮像素子としては、一般的には、ＣＭＯＳ（Complementary Metal Oxide Semiconductor）や、ＣＣＤ（Charge Coupled Device）が利用される。撮像センサ１０３は、シャッター１０４が開いている際に、ミラー１０５を介して撮像面に形成される被写体像を撮像素子によって光電変換し、アナログ画像信号として制御部１０１に出力する。
【００１６】
制御部１０１は撮像センサ１０３から出力されるアナログ画像信号をデジタル画像信号（画像データ）に変換し、ノイズ低減処理などを行いデジタルデータを画像データとして生成する。本実施形態では、当該画像データを撮像し出力するための一連の処理を「撮影」という。本実施形態のデジタルカメラ１００では、画像データは、ＤＣＦ（Design Rule for Camera File system）の規格に従って、記録媒体１０９に記録される。
【００１７】
電源スイッチ１０６は、ユーザが装置の電源をオン／オフするための操作部材である。モード切替スイッチ１０７は、デジタルカメラ１００を図１（ｂ）に示す通信装置２００によるリモコン操作が有効なモードと、リモコン操作が無効なモードとを切替えるための操作部材である。不揮発性メモリ１０８は、電気的に消去・記録可能な不揮発性のメモリであり、制御部１０１で実行される後述のプログラム等が格納される。記録媒体１０９は、制御部１０１から出力された画像データを記録することができる。記録媒体１０９は、デジタルカメラ１００に着脱可能なよう構成してもよいし、デジタルカメラ１００に内蔵されていてもよい。デジタルカメラ１００は少なくとも記録媒体１０９にアクセスする手段を有していればよい。
【００１８】
表示部１１０は、撮影の際のビューファインダー画像の表示、撮影した画像データの表示、対話的な操作のための文字表示などを行う。表示部１１０は必ずしもデジタルカメラ１００に内蔵されていなくてもよく、デジタルカメラ１００に接続される構成であってもよい。デジタルカメラ１００は内部又は外部の表示部１１０と接続することができ、表示部１１０の表示を制御する表示制御機能を少なくとも有していればよい。電源回路１１２は、バッテリ１１３に蓄積された電力をデジタルカメラ１００の各ブロックに対して供給する。バッテリ１１３は、リチウムイオン充電池など充電可能なタイプのバッテリであって、デジタルカメラ１００に対し着脱可能に構成されていてもよい。
【００１９】
レリーズスイッチ１１４は、ユーザが撮影を指示するための操作部材であって、ＳＷ１およびＳＷ２を有する。レリーズスイッチ１１４が、いわゆる半押し状態となることにより、ＳＷ１がＯＮとなる。これにより、制御部１０１においてＡＦ（オートフォーカス）処理、ＡＥ（自動露出）処理、ＡＷＢ（オートホワイトバランス）処理、ＥＦ（フラッシュプリ発光）処理等の撮影準備を行うための指示を受け付ける。また、レリーズスイッチが、いわゆる全押し状態となることにより、ＳＷ２がＯＮとなる。これにより、撮影を行うための指示を受け付ける。
【００２０】
無線通信部１１５は、例えば無線信号を処理するため変復調回路や通信コントローラから構成される。無線通信部１１５は、変調した無線信号をアンテナ１１６から出力し、またアンテナ１１６で受信した無線信号を復調することによりＩＥＥＥ８０２．１５の規格（いわゆるBluetooth（登録商標））に従って、通信装置２００との間で無線通信を実現する。本実施形態においてBluetooth（登録商標）通信は、低消費電力であるBluetooth（登録商標） Low Energy（以下、ＢＬＥと略す。）のバージョン４．０を採用する。このＢＬＥ通信は、無線ＬＡＮ通信と比べて通信可能な範囲が狭く（通信可能な距離が短い）、無線ＬＡＮ通信と比べて通信速度が遅い。その一方で、ＢＬＥ通信は、無線ＬＡＮ通信と比べて消費電力が少ない。また、ＢＬＥ通信は、Ｂｌｕｅｔｏｏｔｈ３．０の通信と比べて通信速度が遅い。その一方で、ＢＬＥ通信は、Ｂｌｕｅｔｏｏｔｈ３．０の通信と比べても消費電力が少ない。また、無線通信部１１５はＩＥＥＥ８０２．１１やＺｉｇｂｅｅの規格に従った無線通信インターフェースとして構成されてもよい。
【００２１】
静止画／動画切替スイッチ１１７は、通信装置２００からのリモコン操作を静止画撮影と、動画撮影のいずれについて行うかを切替えるためのスイッチである。静止画／動画切替スイッチ１１７が静止画撮影にセットされている場合、撮像装置１００は通信装置２００からの遠隔操作による撮影動作の指示に応じて静止画撮影を実行する。静止画／動画切替スイッチ１１７が動画撮影にセットされている場合、撮像装置１００は通信装置２００からの遠隔操作による撮影動作の指示に応じて動画撮影を実行する。また、静止画撮影については、静止画を１枚ずつを撮影する単写モードと、連続して複数枚を撮影する連写モードとを切り替え可能に備えていてもよい。
【００２２】
＜通信装置２００の構成＞
次に、撮像装置１００を遠隔操作する通信装置２００であるところの情報処理装置の構成例を説明する。図１（ｂ）は、本実施形態の通信装置２００の一例であるリモコン装置の構成例を示すブロック図である。これ以降の実施形態の説明では通信装置２００についてリモコン装置を例に挙げて説明するが、通信装置２００の実施形態はリモコン装置に限定されるものではない。例えば通信装置２００は、デジタルカメラ、スマートフォン、ＰＤＡ、タブレットデバイス、デジタルビデオカメラ、携帯型メディアプレーヤなどの任意の情報処理装置とすることができる。以下、図１（ｂ）を参照して通信装置２００の構成を具体的に説明する。
【００２３】
制御部２０１は、入力された信号や、後述のプログラムに従って通信装置２００の各部を制御する。なお、制御部２０１が装置全体を制御する代わりに、複数のハードウェアが処理を分担することで、装置全体を制御してもよい。不揮発性メモリ２０２は、電気的に消去・記録可能な不揮発性のメモリである。不揮発性メモリ２０２には、制御部２０１が実行する基本的なソフトウェアであるＯＳ（オペレーティングシステム）や、このＯＳと協働して応用的な機能を実現するアプリケーションが記録されている。また、本実施形態では、不揮発性メモリ２０２には、デジタルカメラ１００と通信するためのソフトウェアが格納されている。
【００２４】
無線通信部２０３は、撮像装置１００のような他の装置との無線通信を実現する。無線通信部２０３は、無線信号を処理するための変復調回路や通信コントローラから構成される。無線通信部２０３は、変調した無線信号をアンテナ２０４から出力し、またアンテナで受信した無線信号を復調することにより上述のBLEのバージョン４．０に従って、外部装置である撮像装置１００との間で無線通信を実現することができる。また、無線通信部２０３はＩＥＥＥ８０２．１１やＺｉｇｂｅｅの規格に従った無線通信インターフェースとして構成されてもよい。図１（ｂ）では制御部２０１と無線通信部２０３とを独立の構成として記載したが、これらを一体的に構成してもよい。
【００２５】
表示部２０５は、１つ以上のＬＥＤで構成され、操作されたボタンの種類や、撮像装置１００や通信装置２００の動作状態を表示色により、ユーザに通知することができる。振動発生部２０６は、ユーザが行った操作に対応する振動パターンや、動作状態を表す振動パターンを発生させ、ユーザに対して振動による情報の通知を行う。ブザー２０７は、ユーザが行った操作に対応する音声パターンや、動作状態を表す音声パターンを発生させ、ユーザに対して音声による情報の通知を行う。操作部２０８は、撮像装置１００を遠隔操作するための指示入力（操作入力）を受付けるための指示受付部材である操作ボタンを含んで構成される。当該操作ボタンには、例えば、レリーズボタン、ＡＦ（オートフォーカス）ボタン、ズーム（ワイド／テレ）ボタン等が含まれる。
【００２６】
本実施形態では、表示部２０５と操作部２０８とは上述のように独立した構成であっても、また、タッチパネル式ディスプレイのように一体的に構成されていてもよい。タッチパネル式ディスプレイで構成される場合、液晶表示部にボタンやＬＥＤに相当する表示がなされ、ボタンに対する操作は液晶表示部上に形成されたタッチ感知部でユーザの指による操作を検出することができる。
【００２７】
電源回路２０９は、バッテリ２１０に蓄積された電力を通信装置２００の各ブロックに対して供給する。バッテリ２１０は、ボタン電池のような消耗品タイプであってもよいし、充電可能なタイプのバッテリであって、通信装置２００に対し着脱可能に構成されていてもよい。
【００２８】
＜システム構成＞
次に、図２は、発明の実施形態に対応する撮像装置１００と通信装置２００との接続状態の一例を示す図である。また、図２に示すように、本実施形態の撮像装置と通信装置とは、Bluetoothや、ＢＬＥ、Ｚｉｇｂｅｅ、Ｗｉ−Ｆｉなどの無線通信方式に従って無線接続される。無線通信方式は赤外線方式に比べ、双方向通信が可能であり、指向性が少なく操作する位置に制限が無く、通信距離も比較的長いといったメリットがある。中でもＢＬＥ方式は消費電力が小さく、通信装置が仮にコイン電池で動作するような構成であっても使用に耐える性能が得られるようになってきている。
【００２９】
図２に示すように通信装置２００は操作部２０８として、レリーズボタン２０８ａ、ＡＦボタン２０８ｂ、Ｚｏｏｍボタン２０８ｃ、２０８ｄなどのカメラを制御するためのスイッチを有するように構成することができる。各スイッチは、物理的な部材としてユーザが指により押下可能に構成されていてもよい。また、タッチパネル式ディスプレイに表示される場合は、ボタンの表示位置においてユーザの指によるタップやスワイプ動作を検出可能に構成されていてもよい。操作部２０８に対して行われた操作に応じて制御部２０１は表示部２０５、振動発生部２０６、ブザー２０７の動作を制御するので、通信装置２００を操作しているユーザに撮像装置１００の動作状態を詳しく通知することができる。つまり、ユーザが撮像装置１００から離れたところで通信装置２００を操作している場合でも、撮影が成功したかどうか、オートフォーカス（ＡＦ）が合焦した、ズームが変更できたかどうか等の撮像装置１００の状態を、ＬＥＤ表示、振動、音声等に基づいて確認することができる。
【００３０】
図２のように撮像装置１００と通信装置２００とが通信可能な状態となるには、あらかじめペアリング操作を行う必要がある。これは、撮像装置１００と通信装置２００とがお互いに接続相手を認識し、複数の機器が存在する環境でも誤動作しないようにする目的で、お互いを登録しておく必要があるためである。さらに、本実施形態では、撮像装置１００のモード切替スイッチ１０７をユーザが操作して予めリモコン操作を有効にしておくことで、リモコン操作受付状態となる。また、静止画／動画切替スイッチ１１７によって、遠隔操作の対象とする撮影モードを選択することができる。
【００３１】
このようにBLEのような無線通信方式を用いることによって、通信装置２００から撮像装置１００を遠隔操作する場合に高い操作性を提供することができる。その際、通信装置２００のバッテリがコイン電池のような小容量の場合は、操作性とバッテリの長期持続を両立するために更に以下のように通信装置２００を動作させる必要がある。以下、具体的な発明の実施形態について説明する。
【００３２】
［実施形態１］
以下、図３、図４を参照して、発明の第１の実施形態における動作を説明する。本実施形態では、通信装置２００からの遠隔操作により撮像装置１００が静止画１枚を撮影する場合を説明する。図３は、通信装置２００からの遠隔操作に従い静止画を１枚撮影する場合の撮像装置１００及び通信装置２００の動作の一例を示すフローチャートである。本フローチャートに示す処理は、撮像装置１００の制御部１０１が無線通信部１１５から受信した信号や、不揮発性メモリ１０８に格納されたプログラムに従い、デジタルカメラ１００の各部を制御することにより実現される。また、通信装置２００の制御部２０１が無線通信部２０３から受信した信号や操作部２０８で受付けた操作入力、不揮発性メモリ２０２に格納されたプログラムに従い、通信装置２００の各部を制御することにより実現される。このことは、他の実施形態のフローチャートについても同様である。また、図４（ａ）及び図４（ｂ）は、図３に対応したシーケンス図であり、左から右に時系列にそれぞれの部分の動作がわかるようになっている。図４（ａ）、（ｂ）のシーケンス図では、簡単のために撮像装置１００をカメラとして記載し、通信装置２００をリモコンとして記載している。他の実施形態における他のシーケンス図についても同様である。
【００３３】
図３のフローチャートは、撮像装置１００の電源スイッチ１０６がオンになったことに応じて開始される。まずＳ３０２では、制御部１０１は、モード切替スイッチ１０７がリモコン操作を有効とするモード（リモコン受付モード）側にセットされているか否かを判定する。制御部１０１がモード切替スイッチ１０７がリモコン受付モード側にセットされていると判定した場合、処理は１０３に進む。このとき、図３には記載していないが、制御部１０１は静止画／動画切替スイッチ１１７の設定を確認し、静止画モードとなっていると判定しているものとする。一方、制御部１０１がモード切替スイッチ１０７がリモコン受付モード側にセットされていないと判定した場合、処理はＳ３０４へ進む。Ｓ３０４では通信装置２００からの遠隔操作ではなく、撮像装置１００に対する直接の操作に従って撮影（通常撮影）を行った後、本処理を終了する。
【００３４】
制御部１０１は、リモコン受付モードに設定されたと判定すると、Ｓ３０３において無線通信部１１５を制御してアドバタイズパケットの送信を開始する。アドバタイズパケットの送信とは、接続情報が含まれるパケットを、不特定多数の機器に向けてブロードキャスト送信し、それを接続先の機器（本実施形態では、通信装置２００）が受信することによって接続が可能になる、接続待機の動作のことである。図４（ａ）のシーケンス図はこの状態から始まっており、カメラ無線動作のｔ４−１のタイミングで一定時間ごとに定期的（周期的に）にアドバタイズパケットが送信されている。
【００３５】
撮像装置１００がアドバタイズパケットの送信状態にある場合に、Ｓ３２１で通信装置２００の制御部２０１が操作部２０８のレリーズボタン２０８ａの操作を検出すると、処理はＳ３２２に進む。Ｓ３２２にて、制御部２０１は無線通信部２０３を制御してアドバタイズパケットを検出するスキャン動作を行う。アドバタイズパケットを検出すると、制御部２０１は無線接続状態に移行するための無線接続要求を無線通信部２０３を制御して撮像装置１００に送信し、処理はＳ３２３に進む。
【００３６】
撮像装置１００側では、Ｓ３０６において制御部１０１が、通信装置２００が送信した無線接続要求を無線通信部１１５が受信したことを検出すると、処理はＳ３０７に進む。Ｓ３０７とＳ３２３とにおいて、撮像装置１００では制御部１０１が無線通信部１１５を制御し、通信装置２００では制御部２０１が無線通信部２０３を制御することで、装置間の無線接続が確立される。
【００３７】
図４（ａ）を参照して、無線接続動作におけるシーケンスを説明する。ユーザが何も操作をしていないときの通信装置２００は待ち受け状態にあって、制御部２０１は電力消費を抑えるためにスリープ状態に置かれ、操作部２０８に対する操作に応じた信号変化を待ち受けている。タイミングｔ４−２におけるレリーズボタン２０８ａの押下に応じて制御部２０１は起動シーケンスを実行する。具体的に、制御部２０１は信号変化を検出することによって割り込みを発生させ、処理プログラムを不揮発性メモリ２０２から読み込んで実行する。制御部２０１は起動すると、無線通信部２０３を制御して無線動作を開始し、撮像装置１００から送信されているアドバタイズパケットを受信するための、スキャン動作を行う。制御部２０１は、スキャン動作によって無線通信部２０３がアドバタイズパケットを受信すると、無線通信部２０３を制御して無線接続要求を撮像装置１００へ送信する。この無線接続要求には、通信装置２００の識別情報が含まれている。
【００３８】
撮像装置１００側では、制御部１０１が識別情報が予めペアリングによって登録してある識別情報と一致すると判定した場合、通信装置２００を接続先と認定し、制御部１０１は無線通信部１１５を制御して無線接続の確立を行う。撮像装置１００と通信装置２００との間で無線接続が確立されると、それ以降は撮像装置１００と通信装置２００との１対１の接続となり、お互いにタイミングを合わせて定期的に送受信を行う。図４（ａ）のカメラ無線動作において、白抜きの長方形がアドバタイズ送信を表し、黒塗りの長方形が接続確立後の通信（コネクション）を表している。
【００３９】
このようにして撮像装置１００と通信装置２００との間の無線接続が確立されると、通信装置２００の制御部２０１はＳ３２４において無線通信部２０３を制御して動作コマンドを撮像装置１００へ送信する。このときの動作コマンドは、Ｓ３２１で操作を検出したレリーズボタン２０８ａに対する操作に基づく動作命令を含むものである。Ｓ３０８において撮像装置１００の制御部１０１は、通信装置２００から送信された動作コマンドを無線通信部１１５が受信したことを検知する。このとき撮像装置１００の撮影モードが静止画モードとなっているため、制御部１０１は受信した動作コマンドを静止画撮影コマンドと認識する。制御部１０１は一連の静止画撮影シーケンスを開始させ、Ｓ３０９においてＡＦ（オートフォーカス）処理、ＡＥ（自動露出）処理、ＡＷＢ（オートホワイトバランス）処理、ＥＦ（フラッシュプリ発光）、絞り駆動動作や、撮像素子の露光前の準備動作等の撮影準備動作を実行する。
【００４０】
なお、撮像装置１００が直接に操作される場合、レリーズスイッチ１１４が半押し状態となるとＳＷ１がＯＮとなり撮影準備動作が実行され、全押し状態となるとＳＷ２がＯＮとなり撮影が行われる。これに対し、通信装置２００により撮像装置１００を遠隔操作する場合は、１回のレリーズボタン２０８ａの操作により、ＳＷ１とＳＷ２とが連続的に操作されたものとして撮像装置１００は動作を実行する。即ち、撮像装置１００は、通信装置２００からレリーズボタン２０８ａに基づく動作コマンドを受信すると、撮影準備動作を実行した後、更に通信装置２００からレリーズボタン２０８ａが操作された旨の通知を受けることなく静止画撮影まで連続的に実行する。
【００４１】
ここで図４（ａ）を参照すると、撮像装置１００の動作において、タイミングｔ４−３におけるＡＦ動作の開始からタイミングｔ４−７における静止画撮影が完了するまでが、一連の静止画単写撮影シーケンスとなる。本実施形態では、静止画単写撮影シーケンスを、被写体からの光を撮像センサに露光し、露光が完了後に読み出しが完了するまでの一連の動作として定義する。一連の撮影シーケンスの中で、ＡＦ／ＡＥ動作、絞り駆動等が完了した段階で、撮像センサへの露光準備が完了し、撮影準備完了とみなす。本実施形態では撮影準備が完了すると、撮像装置１００は通信装置２００に静止画撮影準備の完了を通知する。通信装置２００はこれを受けて無線通信を切断するとともに、タイミングｔ４−５にてＬＥＤの点灯／消灯を行う。ここでは例示的にＬＥＤ点灯／消灯を記載したが、後述するように、音声や振動による通知を行ってもよい。この点は、他の実施形態についても同様である。通信装置２００はＬＥＤを消灯すると、図４（ａ）の最初の状態と同じく、極力電池の消費を抑えるスリープ状態に入る。撮像装置１００もタイミングｔ４−７で静止画撮影が完了したら、図４（ａ）の最初の状態と同様に、アドバタイズパケットを送信し、リモコンの接続の待ち受け状態となる。
【００４２】
図４（ａ）に示すように、接続確立後に撮像装置１００が通信装置２００から動作コマンド（レリーズコマンド）を受信すると、タイミングｔ４−３にて一連の静止画単写撮影シーケンスが開始される。当該シーケンスは、ＡＦ動作から開始する。ＡＦ動作は、コントラスト検出方式や、位相差検出方式などを用いて被写体との距離を検出し、ピントが合う位置までレンズを駆動することによって完了する。しかしながら、被写体のコントラストが低かったり、被写体が暗かったり、さらに、被写体がレンズの最短撮影距離よりも近すぎたりした場合には、ＡＦ動作に失敗することがある。また、次に行うＡＥ動作においても、被写体が明るすぎたり、明るさが変動したりする場合には、ＡＥ動作が失敗することがある。
【００４３】
図４（ｂ）は、ＡＦ動作に失敗した場合を示すシーケンス図である。静止画単写撮影シーケンスが開始され、タイミングｔ４−１１でＡＦ動作が行われるが、ＡＦ動作に失敗した場合（合焦失敗）には、タイミングｔ４−１２で撮像装置１００から通信装置２００に合焦失敗通知を送信する。この場合は、通信装置２００側は即座に通知に応答する応答送信を行うとともに、無線切断を行う。また、撮影準備完了を示すＬＥＤを点灯させない。これによって、ユーザは撮影準備に失敗し、撮影が行われないと認識することができる。図４（ｂ）はＡＦ動作に失敗した場合を示しているが、それ以外のＡＥ動作や絞り駆動等の撮影準備動作に失敗した場合も、撮影準備に失敗した旨の通知を撮像装置１００から通信装置２００へ送信する。
【００４４】
図３の説明に戻ると、このようにして一連の撮影準備が完了、または、完了せずに途中で失敗すると、Ｓ３１０において撮像装置１００の制御部１０１は無線通信部１１５を制御して、通信装置２００に撮影準備の状況を通知する。当該通知には、撮影準備が成功し撮影準備が完了したことを示す情報、または、撮影準備動作におけるいずれかの動作に失敗したことを示す情報が含まれる。Ｓ３２５で通信装置２００の制御部２０１が撮影準備状況通知を無線通信部２０３が受信したことを検知すると、処理はＳ３２６に進む。Ｓ３２６では制御部２０１は無線通信部２０３を制御して応答パケットを撮像装置１００へ送信する。応答パケットには、無線通信を切断する旨の通知が含まれる。また、撮像装置１００側で撮影準備が成功していた場合は、切断後に通信装置２００が行う通知の継続時間の情報を更に含めることができる。応答送信後、Ｓ３２７において、制御部２０１は無線通信部２０３を制御して無線通信を切断する。
【００４５】
通信装置２００がＳ３２７で無線通信を切断したタイミングでは、撮像装置１００側ではせいぜい撮影準備動作が完了しているだけで、撮影自体は開始されていない。しかしながら、撮像装置１００において撮影準備が完了していれば、あとは確実に撮影が行われるとみなせるので、通信装置２００はこれ以上通信を継続して無駄に電池を消費することが無いように、無線通信を切断する。また、撮影準備に失敗した場合も、無線通信を継続するのは無駄に電池を消費することになるためやはり無線通信を切断する。この場合でもユーザは通信装置２００で同じ操作を再度実行することで接続が再確立され、操作をやり直すことができるので、ユーザの操作感上は全く問題はない。
【００４６】
続くＳ３２８において、制御部２０１は、撮像装置１００の撮影準備が成功したか否かを判定する。制御部２０１が撮影準備が成功したと判定した場合に、処理はＳ３２９に進みユーザへの通知を行う。一方、制御部２０１が撮影準備が失敗と判定した場合は、ユーザへの通知を行うことなく処理を終了する。この場合、通知が行われないことにより、ユーザは撮影が完了しないことを認識することができる。
【００４７】
Ｓ３２９において制御部２０１は、撮像装置１００の撮影準備が完了したことをユーザに通知するため、例えば表示部２０５を制御してＬＥＤを点灯させる。ユーザへの通知方法としては、ＬＥＤを点灯する以外にも、例えば振動発生部２０６を制御して所定の振動パターンにより通知する方法や、ブザー２０７を制御して所定の音声出力により通知する方法がある。所定の時間が経過すると、Ｓ３３０において制御部２０１は表示部２０５等を制御して通知を終了する。これにより、通信装置２００側の処理を終了する。
【００４８】
撮像装置１００側では、Ｓ３１１で制御部１０１は、無線通信部１１５が通信装置２００からの応答を受信したか否かを判定する。制御部１０１が応答を受信したと判定すると、処理はＳ３１３へ進む。受信した応答パケットには無線通信を切断する旨の通知が含まれているので、Ｓ３１３において制御部１０１は無線通信部１１５を制御して無線通信を切断する。一方、制御部１０１が応答を受信していないと判定すると、処理はＳ３１２へ進み、制御部１０１はタイムアウトが発生したか否かを判定する。制御部１０１がタイムアウトと判定すると、処理はＳ３１３に進む。一方、制御部１０１がタイムアウトと判定しなければ、処理はＳ３１１に戻って応答受信を監視する。
【００４９】
制御部１０１は無線通信を切断すると、無線通信部１１５を制御してアドバタイズパケットの送信を再開する。また、Ｓ３１４において、制御部１０１がＳ３０９における撮影準備に成功していたと判定すると、処理はＳ３１５に進み、撮影準備に失敗していたと判定した場合は、撮影を行わずに本処理を終了する。Ｓ３１５では、制御部１０１は、通信装置２００での撮影準備完了の通知が終了するのを待機する。撮像装置１００側では、Ｓ３１１で受信した応答により、通信装置２００における準備完了通知の継続時間が予め通知されているか、予め知っているため、Ｓ３１１での応答受信後、当該継続時間に応じた待機時間を設定することができる。次に、Ｓ３１６において、制御部１０１は、シャッター１０４やミラー１０５、撮像センサ１０３を駆動し、静止画の撮影を行う。このとき、通信装置２００側の通知は確実に終了しているため、撮影画像にＬＥＤが光っている様子が写りこむことは無い。
【００５０】
また、図３では、Ｓ３２５にて通知を受信する場合のみを記載しているが、撮像装置１００側の撮影準備に時間がかかり、準備状況通知をなかなか受信できない場合も想定される。例えば、撮像装置１００でなかなかピントが合わず、ＡＦ動作を長時間継続する場合等がある。このような場合、通信装置２００側の制御部２０１は、Ｓ３２５においてタイムアウト検出を行ってもよい。制御部２０１は、Ｓ３２４において動作コマンドを送信した後、一定期間内に撮像装置１００から準備状況に関する通知を受信できない場合は処理をＳ３２７に移行して無線通信を切断してもよい。このようにすることで、撮影が行われない場合であっても、操作性と電池の持ちとを両立することができる。
【００５１】
以上の本実施形態によれば、通信装置２００に対する操作入力に応じて、撮像装置１００と通信装置２００との間の無線接続を確立し、通信装置２００から撮像装置１００へ静止画撮影実行の動作コマンドを送信することができる。撮像装置１００は、受信した動作コマンドに応じて静止画撮影のための動作シーケンスを開始した後、撮影完了を待たずに撮影準備ができると、或いは、撮影準備に失敗すると、その旨を通信装置２００に通知する。通信装置２００は、当該通知に応じて、撮影完了を待たずに撮像装置１００との間の無線通信を切断することができる。その上で、撮像装置１００側で撮影準備に成功していた場合は、通信切断後にユーザに撮像装置１００での撮影が可能である旨の通知を行うことで、ユーザは撮影が実行されるか否かを確認することができる。また、撮像装置１００による静止画撮影の実行は、通信装置２００側での通知が終了後になされるので、ＬＥＤ表示の映り込みと言った、通信装置２００側での通知内容が撮影静止画に影響を与えることがない。
【００５２】
これにより、通信装置２００は撮像装置１００との無線通信を効率的に実施して撮影処理を実行できる。従って、搭載するバッテリ容量が小さい通信装置であっても、操作性を確保しつつ、通信量が大きな通信を行う必要もなく遠隔操作の省電力化が可能となる。
【００５３】
［実施形態２］
以下、図３、図５及び図６を参照して、発明の第２の実施形態における動作を説明する。本実施形態では、通信装置２００からの遠隔操作により撮像装置１００が動画を撮影する場合を説明する。本実施形態において、通信装置２００から遠隔操作により撮像装置１００で動画撮影を制御する方法としては、撮像装置１００の動作モードを動画モードに設定し、通信装置２００のレリーズボタン２０８ａが１回操作されると動画撮影が開始され、もう１回操作されると動画撮影が終了する形態を想定している。しかしながら、通信装置２００の操作方法はこの方法だけに限らず、動画専用のボタンがあっても良いし、ボタンを押している間だけ撮影をするような方法でもよい。
【００５４】
動画の撮影開始時の処理は図３に示したフローチャートと同様にして実行することができる。また図５は、通信装置２００からの遠隔操作に従い撮像装置１００の動画撮影動作を終了する場合の撮像装置１００及び通信装置２００の動作の一例を示すフローチャートである。また、図６は、動画撮影の開始および終了のフローチャートに対応したシーケンス図であり、左から右に時系列にそれぞれの部分の動作がわかるようになっている。
【００５５】
図３のフローチャートに従って制御部１０１が動画撮影の開始を制御する場合、制御部１０１は静止画／動画切替スイッチ１１７の設定を確認し、動画モードとなっていると判定しているものとする。当該判定以外は、実施形態１で説明した静止画１枚撮影の動作とほぼ同じである。
【００５６】
図３において、Ｓ３０２で制御部１０１がリモコン受付モードが設定されていると判定し、動作モードが動画モードであることを確認すると、撮像装置１００は実施形態１と同様、Ｓ３０３にてアドバタイズパケットを送信して接続待機状態となる。その後、撮像装置１００と通信装置２００とはＳ３０７、Ｓ３２３にて無線接続を確立する。その後、制御部２０１がＳ３２４において無線通信部２０３を制御して動作コマンドを撮像装置１００へ送信する。このときの動作コマンドは、Ｓ３２１で操作を検出したレリーズボタン２０８ａに対する操作を示すものである。Ｓ３０８において撮像装置１００の制御部１０１は、通信装置２００から送信された動作コマンドを無線通信部１１５が受信したことを検知する。このとき撮像装置１００の撮影モードが動画モードとなっているため、制御部１０１は受信した動作コマンドを動画撮影開始コマンドと認識する。動画モードでは、静止画撮影モードのような撮影準備動作を行わないので、制御部１０１はＳ３０９における撮影準備動作をスキップして、処理をＳ３１０に進める。動画撮影の開始を制御する場合、撮像装置１００は撮像センサ１０３、シャッター１０４及びミラー１０５の制御を行うことはあるが、静止画撮影のようにＡＦ／ＡＥ動作等の失敗の可能性の高い撮影準備動作を行わない。
【００５７】
Ｓ３１０では、撮像装置１００の制御部１０１は無線通信部１１５を制御して、通信装置２００に撮影準備が完了した旨を通知する。このように動画撮影では、通信装置２００から動作コマンドを受信すると、撮像装置１００は即座に撮影準備完了通知を送信する。通信装置２００では、Ｓ３２５で制御部２０１が撮影準備完了通知を無線通信部２０３が受信したことを検知すると、処理はＳ３２６に進む。Ｓ３２６では制御部２０１は無線通信部２０３を制御して応答パケットを撮像装置１００へ送信する。応答パケットには、無線通信を切断する旨の通知と、切断後に通信装置２００が行う通知の継続時間の情報を更に含めることができる。応答送信後、Ｓ３２７において、制御部２０１は無線通信部２０３を制御して無線通信を切断する。その後、Ｓ３２８において、制御部２０１は、撮像装置１００の撮影準備が成功したと判定し、処理はＳ３２９に進みユーザへの通知を行う。Ｓ３２９において制御部２０１は、撮像装置１００の撮影準備が完了したことをユーザに通知するため、例えば表示部２０５を制御してＬＥＤを点灯させる。それ以外にも、例えば振動発生部２０６を制御して所定の振動パターンにより通知する方法や、ブザー２０７を制御して所定の音声出力により通知する方法がある。所定の時間が経過すると、Ｓ３３０において制御部２０１は表示部２０５等を制御して通知を終了する。これにより、通信装置２００側の処理を終了する。通知を終了すると、制御部２０１は電池消費を抑えるためにスリープ状態に入る。
【００５８】
一方の撮像装置１００側では、Ｓ３１１で制御部１０１が無線通信部１１５が通信装置２００からの応答を受信したと判定すると、処理はＳ３１３へ進む。受信した応答パケットには無線通信を切断する旨の通知が含まれているので、Ｓ３１３において制御部１０１は無線通信部１１５を制御して無線通信を切断する。制御部１０１は無線通信を切断すると、無線通信部１１５を制御してアドバタイズパケットの送信を再開する。また、Ｓ３１４において、制御部１０１がＳ３１０における撮影準備に成功したと判定して処理はＳ３１５に進み、制御部１０１は通信装置２００での撮影準備完了の通知が終了するのを待機する。撮像装置１００側では、Ｓ３１１で受信した応答により、通信装置２００における準備完了通知の継続時間が通知されているか、継続時間を予め知っているため、Ｓ３１１での応答受信後、当該継続時間に応じた待機時間を設定することができる。次に、Ｓ３１６において、制御部１０１は、シャッター１０４やミラー１０５、撮像センサ１０３を駆動し、動画撮影を開始する。このとき、通信装置２００側の通知は確実に終了しているため、撮影画像にＬＥＤが光っている様子が写りこんだり、ブザー音や振動音が録音されりすることは無い。その後、撮像装置１００の無線通信部１１５の状態としても、撮影前と同様の接続待機状態となる。
【００５９】
次に図５を参照して、動画撮影を終了する場合の撮像装置１００と通信装置２００の動作を説明する。まず、撮像装置１００側では、Ｓ５０１において動画撮影が継続され、かつ、Ｓ５０２においてアドバタイズパケットを送信しており、これにより撮像装置１００は通信装置２００からの接続待機状態にある。
【００６０】
撮像装置１００がアドバタイズパケットの送信状態にある場合に、Ｓ５２１で通信装置２００の制御部２０１が操作部２０８のレリーズボタン２０８ａの操作を検出すると、処理はＳ５２２に進む。このとき、当該レリーズボタン２０８ａの操作は、ユーザが動画撮影を終了（停止）することを意図して操作されたものである。Ｓ５２２にて、制御部２０１は無線通信部２０３を制御してアドバタイズパケットを検出するスキャン動作を行う。アドバタイズパケットを検出すると、コネクション状態に移行するための無線接続要求を無線通信部２０３を制御して撮像装置１００に送信する。
【００６１】
撮像装置１００側では、Ｓ５０３において制御部１０１が、無線通信部１１５が通信装置２００が送信した無線接続要求を受信したことを検出すると、処理はＳ５０４に進む。Ｓ５０４とＳ５２３とにおいて、撮像装置１００では制御部１０１が無線通信部１１５を制御し、通信装置２００では制御部２０１が無線通信部２０３を制御することで、装置間の無線接続動作が実行される。
【００６２】
このようにして、レリーズボタン２０８ａの押下に応じて撮像装置１００と通信装置２００との間の無線接続が確立されると、通信装置２００の制御部２０１はＳ５２４において無線通信部２０３を制御して動作コマンドを撮像装置１００へ送信する。このときの動作コマンドは、Ｓ５２１で操作を検出したレリーズボタン２０８ａに対する操作を示すものである。Ｓ５０５において撮像装置１００の制御部１０１は、通信装置２００から送信された動作コマンドを無線通信部１１５が受信したことを検知する。このとき撮像装置１００の撮影モードが動画モードとなっており、かつ、動画撮影の継続中であるため、制御部１０１は受信した動作コマンドを動画撮影終了コマンドと認識する。そこで、制御部１０１は処理をＳ５０６に進め、撮像センサ１０３、シャッター１０４、ミラー１０５の動作を制御して動画撮影を終了する。制御部１０１は動画撮影を終了すると、処理をＳ５０７に進め、無線通信部１１５を制御して動画撮影終了の通知を通信装置２００へ送信する。その後のＳ５０８からＳ５１０までの処理は、図３のＳ３１１からＳ３１３と同様である。
【００６３】
通信装置２００の制御部２０１は、Ｓ５２５にて無線通信部２０３が動画撮影終了の通知を撮像装置１００から受信したことを検知すると、処理をＳ５２６に進める。Ｓ５２６では、制御部２０１は無線通信部２０３を制御して撮像装置１００に対する応答送信を実行し、続くＳ５２７で無線通信を切断する。続くＳ５２８において制御部２０１は、動画撮影が終了した旨をユーザに通知するように通信装置２００の動作を制御する。例えば、表示部２０５のＬＥＤを所定回数点滅させる方法、振動発生部２０６により所定の振動パターンを発生させる方法、ブザー２０７により所定の音声パターンを出力させる方法等がある。これらの通知方法は、動画撮影が終了したことをユーザが認識可能な方法であればよい。
【００６４】
図６の動作シーケンスでは、前半の動画撮影開始のシーケンスは、図４（ａ）の静止画単写撮影のシーケンスとほぼ同様である。動画撮影開始シーケンスでは、静止画撮影時のように準備動作が不要である。よって、タイミングｔ６−１でレリーズコマンドが通信装置２００から撮像装置１００へ送信されると、直ちに準備完了通知の送受信が行われて無線通信が切断され、タイミングｔ６−２でアドバタイズパケットの送信に切り替る。また、通信切断後は、通信装置２００側でのユーザへの通知（図６では、ＬＥＤ点灯）が終わるのを待って動画撮影を開始する（タイミングｔ６−３）。後半の動画撮影終了シーケンスでも、タイミングｔ６−４でレリーズコマンドが通信装置２００から撮像装置１００へ送信されると、コマンド受信後直ちに終了動作が実行され、動画撮影の終了通知が通信装置２００に通知される。また、終了通知の送受信の後、無線通信が切断され、アドバタイズパケットの送信に切り替る。このとき、通信装置２００は終了通知の受信を待ってユーザへ動画撮影が終了した旨のＬＥＤ点灯や音声出力等による通知を行うので、撮影中の動画に通信装置２００におけるＬＥＤ表示が写り込んだり、音声が録音されたりすることがない。
【００６５】
以上の本実施形態によれば、通信装置２００に対する操作入力に応じて、撮像装置１００と通信装置２００との間の無線接続を確立し、通信装置２００から撮像装置１００へ動画撮影開始の動作コマンドを送信することができる。撮像装置１００は受信した動作コマンドに応じて動画の撮影準備ができると、その旨を通信装置２００に通知する。通信装置２００は、当該通知に応じて動画撮影開始を待たずに撮像装置１００との間の無線通信を切断することができる。その上で、通信切断後にユーザに撮像装置１００での動画撮影が可能である旨の通知を行うことで、ユーザは動画撮影が実行されるか否かを確認することができる。また、撮像装置１００による動画撮影の開始は、通信装置２００側での通知が終了後になされるので、ＬＥＤ表示の映り込みと言った、通信装置２００側での通知内容が撮影動画に影響を与えることがない。
【００６６】
通信装置２００との無線接続が切断された後も、撮像装置１００における動画撮影は継続されている。このとき通信装置２００に対して操作入力が行われると、撮像装置１００と通信装置２００との間の無線接続が再確立され、通信装置２００から撮像装置１００へ動画撮影終了の動作コマンドを送信することができる。撮像装置１００は受信した動作コマンドに応じて動画撮影を終了し、その旨を通信装置２００に通知する。通信装置２００は、当該通知に応じてユーザへ動画撮影が終了したことを通知すると共に、撮像装置１００との間の無線通信を切断することができる。撮像装置１００による動画撮影の終了は、通信装置２００側での通知以前に成されるので、ＬＥＤ表示の映り込みと言った、通信装置２００側での通知内容が撮影動画に影響を与えることがない。
【００６７】
これにより、通信装置２００は、撮像装置１００との無線通信を効率的に実施し、動画撮影を開始し、終了することができる。従って、搭載するバッテリ容量が小さい通信装置であっても、操作性を確保しつつ、通信量が大きな通信を行う必要もなく遠隔操作の省電力化が可能となる。
【００６８】
［実施形態３］
以下、図３及び図７を参照して、発明の第３の実施形態における動作を説明する。本実施形態では、通信装置２００からの遠隔操作により撮像装置１００が静止画の単写撮影を連続して行う場合を説明する。本実施形態における単写撮影を連続して行う処理は図３に示したフローチャートと同様にして実行することができる。図７は、単写撮影を連続して行う処理に対応したシーケンス図であり、左から右に時系列にそれぞれの部分の動作がわかるようになっている。
【００６９】
実施形態１では、撮像装置１００の動作は図３のＳ３１６における撮影により処理を終了していたが、本実施形態ではＳ３１６の後に、再びＳ３０３に戻って処理を継続する。これにより、通信装置２００からの遠隔操作を連続的に受付けることができる。また、通信装置２００側においても、Ｓ３３０における通知終了の後に、Ｓ３２１に戻って処理を継続することができる。これにより、レリーズボタン２０８ａに対する操作を連続的に受付けることができる。
【００７０】
図７に示す動作シーケンスでは、本実施形態においてはＬＥＤが消灯し、１コマ目の静止画撮影が実行されているタイミングで、再度通信装置２００のレリーズボタン２０８ａが操作されている。このときの、通信装置２００の動作としては、ＬＥＤが消灯した直後で、制御部２０１はスリープ状態となっていても、いなくてもよく、スリープ状態であった場合はＳ１２１のレリーズボタンの再操作により再起動され、Ｓ１２２において再度無線接続要求を送信する。
【００７１】
撮像装置１００側の動作としては、Ｓ１１３で無線通信を切断した後も、制御部１０１は無線通信部１１５を制御してアドバタイズパケットの送信を再開し、通信装置２００からの接続待受状態となっている。この状態でＳ３２２における無線接続要求を通信装置２００から受信すると、制御部１０１はＳ３０７で再度無線接続動作を実行する。このように、本実施形態では静止画撮影シーケンスと無線接続動作とを並列に実行するので、撮像装置１００は連続した撮影に素早く対応することが可能となる。
【００７２】
但し、図７の動作シーケンスに示すように、本実施形態でも、実施形態１と同様にＡＦ動作の開始から静止画撮影が完了するまでが、一連の静止画単写撮影シーケンスとなっている。従って、この一連の静止画単写撮影シーケンスが完了するまでは、次の撮影のために撮影準備動作を実行することができない状態となっており、通信装置２００側で連続してレリーズボタン２０８ａが操作されたとしても、直ちに次の撮影動作に取り掛かることはできない。そこで、本実施形態では、静止画撮影シーケンスの途中であっても無線接続までは受け付けるが、次のレリーズコマンドは受け付けることができない。
【００７３】
仮に、ユーザによるレリーズボタン２０８ａの操作が素早く２回行われ、１枚目の静止画単写撮影シーケンスが完了する前にレリーズコマンドが送信された場合、撮像装置１００はその操作を受け付けることができない。そこで、制御部１０１は無線通信部１１５を制御して、Ｓ３１０にて操作を受け付けられなかった旨を通信装置２００に送信する。この場合、通信装置２００側ではＳ３２８にて制御部２０１が準備失敗と判定し、Ｓ３２９における通知は行われない。よって、ユーザは２回目の撮影が行われなかったことを認識できる。
【００７４】
一方、レリーズコマンドを受信するタイミングが、図７のように静止画単写撮影シーケンスが完了した後であれば、撮像装置１００はレリーズコマンドを受け付けることができる。その後のシーケンスとしては、１コマ目と同じとなる。つまり、２コマ目の撮影に対しても、撮影準備が完了するとその旨をリモコンに通知し、リモコンのＬＥＤが点灯するため、ユーザは撮影に成功したかどうかを容易に認識することができる。以降、３コマ目、４コマ目と続くときにも、同様のシーケンスとなる。
【００７５】
以上の本実施形態によれば、通信装置２００に対する操作入力に応じて、撮像装置１００と通信装置２００との間の無線接続を確立し、撮像装置１００を遠隔操作して、静止画単写撮影を連続して実行することができる。その際に、通信装置２００は、撮像装置１００との無線通信を効率的に実施して、連続撮影を実行することができる。従って、搭載するバッテリ容量が小さい通信装置であっても、操作性を確保しつつ、通信量が大きな通信を行う必要もなく遠隔操作の省電力化が可能となる。
【００７６】
［実施形態４］
以下、図８及び図９を参照して、発明の第４の実施形態における動作を説明する。本実施形態では、通信装置２００からの遠隔操作により撮像装置１００が静止画の連写撮影を行う場合を説明する。本実施形態における連写撮影を行う処理は図８に示したフローチャートに従って実行することができる。但し、図８に示す処理の一部には、図３に示す処理と同様に実行することができる処理がある。よって図８の各ステップのうち、図３のいずれかのステップに対応するものについては、同一参照番号を付している。図９は、連写撮影時の処理に対応したシーケンス図であり、左から右に時系列にそれぞれの部分の動作がわかるようになっている。
【００７７】
本実施形態では、撮像装置１００の状態としては、あらかじめ静止画／動画切替スイッチ１１７が静止画連写モードに入れてある状態を想定している。また、ユーザの通信装置２００に対する操作としては、レリーズボタン２０８ａを押下し、その状態を維持している場合を想定している。また、本実施形態では、撮像装置１００は通信装置２００のレリーズボタン２０８ａが押下されている間は連写撮影を行い、レリーズボタン２０８ａが開放されると連写撮影を終了するものとする。また、静止画の連写撮影では、上述の実施形態で説明したように静止画撮影１コマ１コマに対してＬＥＤの点灯・消灯によりユーザ通知を行っていると、その時間は撮影動作ができなくなり、カメラ本体を操作した場合と比べて、コマ速としては劣ってしまう。そこで、本実施形態ではユーザ通知を行うのは１コマ目の静止画撮影の開始前のみとし、２コマ目以降はユーザ通知を省略するように制御する。
【００７８】
本実施形態における１コマ目の撮影における撮像装置１００側の処理は、図３のＳ３０２からＳ３０８までの処理を実行するまでは同じであるので説明を省略する。また、通信装置２００側の処理も、図３のＳ３２１からＳ３２４までの処理を実行するまでは同じであるので、説明を省略する。本実施形態においても、通信装置２００におけるレリーズボタン２０８ａの操作に応じて、撮像装置１００と通信装置２００との間で無線接続を確立する。
【００７９】
無線接続が確立されると、図９において黒い長方形で示したように、一定の周期で撮像装置１００と通信装置２００とが周期的に送受信を行う。本実施形態では、通信装置２００においてレリーズボタン２０８ａの押下状態が継続するため、押下状態が継続している間は、通信装置２００の制御部２０１はＳ８２１において無線通信部２０３を制御し、定期的な送受信におけるパケットに載せて、レリーズボタン２０８ａの押下状態を撮像装置１００へ通知する。ここで、押下状態には、押下続されている状態と、押下されていない状態とを含む。押下状態の通知は、例えば、押下されているボタンの種別を通知することにより行ってもよいし、或いは、通信装置２００が有する各ボタンの状態（押下されているか否か、又は、オン／オフ）を通知してもよい。撮像装置１００側では、通信装置２００から通知される押下状態の情報の変化に従って、ボタンの操作を検出することができる。また、ボタン状態の通知は、ボタン操作に対応する動作コマンドを送信することにより行われてもよい。Ｓ８２１におけるボタン状態の送信はレリーズボタン２０８ａの押下状態が継続している限り、これ以降の処理と並行して実行される。
【００８０】
撮像装置１００側では、Ｓ３０８において撮像装置１００の制御部１０１が、通信装置２００から送信された最初の動作コマンドを無線通信部１１５が受信したことを検知する。最初の動作コマンドが送信された後、本実施形態では通信装置２００からレリーズボタン２０８ａの押下継続に基づく動作コマンドが周期的に送信されてくる。そこで、Ｓ８０１では撮像装置１００の制御部１０１が、通信装置２００から送信されたその後の動作コマンドを無線通信部１１５が受信したことを検知する。Ｓ８０１におけるボタン状態の受信は、通信装置２００側でレリーズボタン２０８ａの押下状態が継続している限り、これ以降の処理と並行して実行される。撮像装置１００は、これにより、ほぼリアルタイムに、通信装置２００のボタンがどのような状態であるか認識することができる。
【００８１】
その後、撮像装置１００側でのＳ３０９からＳ３１１までの処理と、通信装置２００側でのＳ３２５からＳ３２６までの処理は、図３で対応する参照番号との関連で説明した処理と同様である。
【００８２】
通信装置２００側では、Ｓ３２６における応答送信の後、Ｓ８２２において制御部２０１はレリーズボタン２０８ａに対する操作が継続しているか否かを判定する。制御部２０１が、操作が継続していないと判定すると、処理はＳ３２７に移行し無線接続を切断する。Ｓ３２７、Ｓ３２９、Ｓ３３０の各ステップでは、図３で対応する参照番号のステップにおいて説明した処理と同内容の処理を実行して、本処理を終了する。また、撮像装置１００側では、Ｓ３１１において制御部１０１が、無線通信部１１５が通信装置２００からの応答を受信したと判定すると、処理はＳ８０２に進む。Ｓ８０２では、制御部１０１は通信装置２００との無線接続が切断されたか否かを判定する。制御部１０１が無線接続が切断されたと判定した場合、処理はＳ３１５に進み、その後Ｓ３１６における撮影を実行して本処理を終了する。ここでの処理は図３のＳ３１５及びＳ３１６について説明した処理と同様である。この場合は、静止画連写撮影ではなく、静止画単写撮影が実行される。
【００８３】
次に、通信装置２００側で、Ｓ８２２において制御部２０１がレリーズボタン２０８ａに対する操作が継続していると判定すると、処理はＳ８２３に移行する。Ｓ８２３において制御部２０１は、撮像装置１００の撮影準備が完了したことをユーザに通知するため、例えば表示部２０５を制御してＬＥＤを点灯させる。その後、所定の時間が経過すると、Ｓ８２４において制御部２０１は表示部２０５等を制御して通知を終了する。当該通知処理は、図３のＳ３２９及びＳ３３０で説明した処理と実質的に同内容であるが、本実施形態では連写撮影の先頭の１コマ目についてだけ実行される。
【００８４】
また、撮像装置１００側において、Ｓ８０２にて制御部１０１が無線接続が切断されていないと判定した場合、処理はＳ８０３に進み、制御部１０１は、通信装置２００での撮影準備完了の通知が終了するのを待機する。Ｓ８０３における待機処理の内容は実質的にＳ３１５と同じであるが、本実施形態では連写撮影の先頭の１コマ目についてだけ実行される。続くＳ８０４では、制御部１０１は、シャッター１０４やミラー１０５、撮像センサ１０３を駆動し、１コマ目の静止画の撮影を行う。このとき、通信装置２００側の通知は終了しているため、撮影画像にＬＥＤが光っている様子が写りこむことは無い。
【００８５】
これにより静止画連写撮影の１コマ目の撮影が終了する。その後、通信装置２００側では、Ｓ８２８において制御部２０１がレリーズボタン２０８ａの押下操作が継続しているか否かを判定する。制御部２０１が押下状態が継続していると判定した場合、処理はＳ８２９に進み、制御部２０１は無線通信部２０３を制御して、レリーズボタン２０８ａの押下が継続している旨のボタン状態を撮像装置１００へ通知する。一方、制御部２０１が押下状態が継続していないと判定した場合、処理はＳ８３０に進み、制御部２０１は無線通信部２０３を制御して、レリーズボタン２０８ａの押下が解除された旨のボタン状態を撮像装置１００へ通知する。その後、Ｓ８３１にて制御部２０１は無線通信部２０３が撮影終了通知を受信したことを検知すると、無線通信部２０３を制御して撮像装置１００に対する応答送信を行う。応答送信には、通信装置２００側で無線接続を切断する旨の通知を含めることができる。その後、Ｓ８３２にて制御部２０１は無線通信部２０３を制御して、撮像装置１００との無線接続を切断する。
【００８６】
撮像装置１００側では、Ｓ８０５において撮像装置１００の制御部１０１が、通信装置２００から送信されたボタン状態の通知を無線通信部１１５が受信したことを検知する。続くＳ８０６において制御部１０１は２コマ目以降の静止画撮影のための撮影準備動作を実行する。続くＳ８０７では、Ｓ８０５で受信したボタン状態の内容に従って、制御部１０１はレリーズボタン２０８ａの押下状態が解除されたか否かを判定する。制御部１０１が押下状態が解除されたと判定すると処理はＳ８０９に進む。Ｓ８０９において制御部１０１は無線通信部１１５を制御して撮影終了通知を通信装置２００へ送信すると共に、通信装置２００からの応答を受信する。当該応答を受信すれば無線接続を切断してよい。その後、Ｓ８１０にて制御部１０１は静止画撮影を実行して、静止画連写撮影処理を完了させる。一方、制御部１０１が押下状態が継続していると判定した場合、処理はＳ８０８に進み、静止画撮影を行った後Ｓ８０５に戻って処理を継続する。
【００８７】
これにより、１コマ目の静止画の撮影以降、通信装置２００側でレリーズボタン２０８ａが離されるまで連写撮影が継続する。なお、Ｓ８０２では無線接続が切断されたかどうかを判断するように記述したが、撮像装置１００は通信装置２００からボタン状態を常に受信しているので、撮像装置１００側でレリーズボタン２０８ａが離されたかどうかを判断し、無線接続の切断、および、連写撮影を終了してもよい。
【００８８】
図９においては、通信装置２００側でレリーズボタン２０８ａが離された次の送信タイミングｔ９−１の無線通信パケットで、ボタン状態が変化した旨（レリーズボタン２０８ａが解除された旨）を撮像装置１００に送信している。これを受けて撮像装置１００は撮影終了通知を通信装置２００に送信し、通信装置２００は対応する応答を送信した後、無線通信を切断している。この後、通信装置２００の状態としては、スリープ状態となり、再度ユーザからの操作を待ち受ける。一方、撮像装置１００の状態としては、撮影終了通知を通信装置２００に送った後、無線通信の切断を行うが、そのとき撮影シーケンスの途中であれば、その撮影を中断することなく、最後のコマの撮影まで行う。最後のコマの撮影が完了すると、一連の静止画連写撮影シーケンスが完了する。
【００８９】
上記の図８及び図９の説明では、レリーズボタン２０８ａの押下状態が解除された後、通信装置２００は撮影終了通知の受信とそれに対する応答送信を待って無線接続の切断を行った。しかし、発明の実施形態はこれに限定されない。例えば、押下状態が解除された場合に、その旨のボタン状態の通知を撮像装置１００に送信した後、撮像装置１００からの撮影終了通知を待たずに無線接続を切断してもよい。
【００９０】
また、本実施形態では、静止画連写撮影について記載したが、レリーズボタン２０８ａが押下されている間だけ動画撮影をする場合も、上記と同様に実施することができる。
【００９１】
以上の本実施形態によれば、通信装置２００に対する操作入力に応じて、撮像装置１００と通信装置２００との間の無線接続を確立し、通信装置２００から撮像装置１００を遠隔制御して静止画連写撮影を実行することができる。その際、通信装置２００は、レリーズボタン２０８ａの操作状態が解除されると、連写撮影の実際の完了を待たずに撮像装置１００との間の無線通信を切断することができる。これにより、通信装置２００は、撮像装置１００との無線通信を効率的に実施し、静止画連写撮影処理を実行できる。従って、搭載するバッテリ容量が小さい通信装置であっても、操作性を確保しつつ、通信量が大きな通信を行う必要もなく遠隔操作の省電力化が可能となる。
【００９２】
［実施形態５］
以下、図１０及び図１１を参照して、発明の第５の実施形態における動作を説明する。本実施形態では、通信装置２００からの遠隔操作により撮像装置１００が所定のカメラ制御動作を実行する場合を説明する。通信装置２００には、図２に示したとおり、レリーズボタン２０８ａの他、ＡＦボタン２０８ｂ、Ｚｏｏｍボタン２０８ｃ、２０８ｄ等の撮像装置１００としてのデジタルカメラの撮影条件を調整するためのボタンがある。本実施形態では、レリーズボタン２０８ａ以外のボタンが操作された場合の処理について説明する。これらのボタンをユーザが押下することにより、撮影とは独立して対応するカメラ制御動作だけを実行することが可能である。以下では、特にＡＦボタン２０８ｂが操作された場合について説明するが、他のボタンが操作された場合も同様に実施できる。
【００９３】
図１０は、通信装置２００からの遠隔操作に従いカメラ制御動作を実行する場合の撮像装置１００及び通信装置２００の動作の一例を示すフローチャートである。また、図１１は、図１０に対応したシーケンス図であり、左から右に時系列にそれぞれの部分の動作がわかるようになっている。
【００９４】
まず撮像装置１００側におけるＳ１００２からＳ１００７までの処理は、図３のＳ３０２からＳ３０７までの処理と同様である。一方、撮像装置１００がアドバタイズパケットの送信状態にある場合に、Ｓ１０２１で通信装置２００の制御部２０１が操作部２０８のボタン操作、ここでは特にＡＦボタン２０８ｂを検出すると、処理はＳ１０２２に進む。Ｓ１０２２及びＳ１０２３における処理は、図３のＳ３２２とＳ３２３と同様である。
【００９５】
このようにしてボタン操作に応じて撮像装置１００と通信装置２００との間の無線接続が確立すると、通信装置２００の制御部２０１はＳ１０２４において無線通信部２０３を制御して動作コマンドを撮像装置１００へ送信する。このときの動作コマンドは、Ｓ１０２１で操作を検出したＡＦボタン２０８ｂに対する操作を示すものである。一方、撮像装置１００の制御部１０１は、Ｓ１００８において通信装置２００から送信された動作コマンドを無線通信部１１５が受信したことを検知する。制御部１０１は受信した動作コマンドをＡＦコマンドと認識する。制御部１０１は、Ｓ１００９において通信装置２００から実行を指示されたＡＦ動作を実行する。制御部１０１は更にＳ１０１０において、無線通信部１１５を制御してＳ１００９で実行した動作の実行結果を通信装置２００へ通知する。例えば、ＡＦ動作であれば、合焦に成功すると動作の実行結果としてその旨を通知する。通信装置２００は、Ｓ１０２５において制御部２０１が無線通信部２０３が撮像装置１００が送信した動作実行通知を受信したことを検知する。続くＳ１０２６では制御部２０１は無線通信部２０３を制御して応答パケットを撮像装置１００へ送信する。応答パケットには、無線通信を切断する旨の通知が含まれる。応答送信後、Ｓ１０２７において、制御部２０１は無線通信部２０３を制御して無線通信を切断する。
【００９６】
続いて行う撮像装置１００側のＳ１０１１からＳ１０１３までの処理は、図３のＳ３１１からＳ３１３までの処理と同様である。続くＳ１０１４では、制御部１０１がＳ１００９において実行した動作が成功したか否かを判定する。制御部１０１が動作が成功したと判定した場合、処理はＳ１０１５に進む。制御部１０１が動作が失敗したと判定した場合、本処理を終了する。制御部１０１は、Ｓ１０１５において、通信装置２００での動作成功の通知が終了するのを待機する。撮像装置１００側では、Ｓ１０１１で受信した応答により、通信装置２００における動作成功の通知の継続時間が予め通知されているため、Ｓ１０１１での応答受信後、当該継続時間に応じた待機時間を設定することができる。撮像装置１００は、Ｓ１０１５で通知の終了待ちをしている間はアドバタイズパケットの送信状態にあるが、次の動作コマンドは受け付けない。
【００９７】
通信装置２００側では、続くＳ１０２８において、制御部２０１は、撮像装置１００の動作が成功したか否かを判定する。この場合、ＡＦ動作が成功したかを判定する。制御部２０１が動作が成功したと判定した場合に、処理はＳ１０２９に進みユーザへの通知を行う。一方、制御部２０１が動作が失敗したと判定した場合は、ユーザへの通知を行うことなく処理を終了する。
【００９８】
Ｓ１０２９において制御部２０１は、撮像装置１００のＡＦ動作が成功したことをユーザに通知するため、例えば表示部２０５を制御してＬＥＤを点灯させる。ＡＦ動作が成功した場合、他の動作の成功とは区別するために、表示部２０５のＬＥＤを２回点滅させてもよい。ＬＥＤを２回点滅させる動作は、静止画の撮影準備完了の通知や、動画の撮影開始、終了の通知とも異なり、ユーザはＡＦ動作に成功したことを認識できる。或いは、他の通知方法と同じであってもよい。この場合でも、ユーザはＡＦボタン２０８ｂを操作した結果の通知であるのでＡＦ動作の成功と認識することができるからである。ユーザへの通知方法としては、ＬＥＤを点灯する以外にも、例えば振動発生部２０６を制御して所定の振動パターンにより通知する方法や、ブザー２０７を制御して所定の音声出力により通知する方法がある。所定の時間が経過すると、Ｓ１０３０において制御部２０１は表示部２０５等を制御して通知を終了する。これにより、通信装置２００側の処理を終了する。
【００９９】
図１１の動作シーケンスでは、最下段のカメラ動作において、ＡＦ動作開始から、ＬＥＤ消灯待ちが終わるまでを一連のＡＦ動作シーケンスとしている。本実施形態では、このＡＦ動作シーケンスの間は次の動作コマンドは受け付けない。これは、シーケンスの途中で次の動作コマンドを受け付け次の動作を行った場合、動作の成功の通知が連続して実行され、結果としてユーザに混乱を生じさせ誤動作の原因になりかねないからである。その一方、ＡＦ動作シーケンスの完了を待たず、動作シーケンスの途中であっても通信装置２００と撮像装置１００との間の無線接続は切断されるので、無線通信の通信時間を必要最低限に抑えることができる。また、無線接続が切断されても、ＡＦ動作が成功した旨の通知は既に撮像装置１００から受信しているので、ＡＦ動作の状態はユーザに確実に通知することができる。
【０１００】
また、本実施形態では、合焦成功後にＬＥＤの点滅等によるユーザ通知を行う場合について述べたが、ＡＦモードがサーボモードだった場合などでは、ＡＦ操作を行いながら、レリーズ操作を行う可能性も考えられる。この場合には、ＬＥＤの点滅動作は行わず、ユーザへの通知よりも撮影を優先した仕様とすることも可能である。このような場合であっても、無線通信の通信時間を必要最低限に抑え、撮影動作の状態を通知してやれば、操作性と電池の持ちを両立させる効果を得ることが可能である。
【０１０１】
上述の実施形態に加えて、撮影条件を調整するための所定の操作に関しては、以下のように制御を行ってもよい。例えば、ＡＦボタンを操作してＡＦの動作が行われた場合には、合焦成功通知を受信しても、通信装置２００の制御部２０１は無線通信を即座に切断しないように無線通信部２０３を制御してもよい。これは、ＡＦ動作を行う場合、ユーザは次にレリーズボタンを押下する可能性が高い。また、ＡＦボタンが操作される場合は、被写体にピントを合わせようとしているはずであり、繰り返しＡＦボタンが押下される可能性が高い。つまり、短時間に何度も切断と接続を繰り返す可能性がある。一般に、ＢＬＥの通信において単位時間当たりの消費電力は、スキャン動作が最も大きい。そのため、短時間に操作が繰り返される場合には、スキャン動作を省略して接続を維持したほうが、効率的である。また、操作に対するレスポンスの面からも、接続を維持したほうが効率的である。従って、例えば、ＡＦボタンを操作された場合には、レリーズボタンが押下されるまで無線接続を継続してもよい。或いは、ＡＦボタンを操作された場合は、レリーズボタンが押下された場合よりも、切断するタイミングを延ばしてもよい。これにより、消費電力の低減と、ユーザビリティの維持とを両立することができる。
【０１０２】
（その他の実施例）
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【０１０３】
以上、本発明の好ましい実施形態について説明したが、本発明はこれらの実施形態に限定されず、その要旨の範囲内で種々の変形及び変更が可能である。
【符号の説明】
【０１０４】
１００：撮像装置、２００：通信装置
【図１】
0006682365.tif 000002
【図２】
0006682365.tif 000003
【図３】
0006682365.tif 000004
【図４】
0006682365.tif 000005
【図５】
0006682365.tif 000006
【図６】
0006682365.tif 000007
【図７】
0006682365.tif 000008
【図８】
0006682365.tif 000009
【図９】
0006682365.tif 000010
【図１０】
0006682365.tif 000011
【図１１】
0006682365.tif 000012